(57)【要約】【課題】再生時において、録画時に表示した所定の辞書画面を呼び出すためのユーザの入力作業を不要とする。【解決手段】受信した映像データを表示画面に表示させた状態で、当該映像データを録画部２２によって録画している場合に、第１指示を受け付けたとき、電子辞書の画面を表示画面に表示させる表示制御部２１と、電子辞書の画面のうち所定の画面を表示画面の少なくとも一部に表示させる処理が録画中に行われた場合、当該表示された画面の画像データをキャプチャするとともに、当該キャプチャした画像データを録画している映像データに関連付けて記憶部１６に記憶するキャプチャ部２４とを備え、表示制御部２１は、録画した映像データを再生させる再生指示を再生部２３が受け付けた場合、当該映像データに関連付けて記憶した画像データに基づき、上記所定の画面を前記表示画面に表示させる。【選択図】図１
2010041198.tif 000002
【特許請求の範囲】
【請求項１】
電子辞書の機能を有する電子機器であって、
受信装置を介して受信した映像データを記憶装置に録画する録画手段と、
前記記憶装置に録画した前記映像データを表示画面に再生する再生手段と、
前記受信した映像データを前記表示画面に表示させた状態で、当該映像データを前記録画手段によって録画している場合に、第１指示を受け付けたとき、前記電子辞書の画面を前記表示画面に表示させる表示制御手段と、
前記電子辞書の画面のうち所定の画面を前記表示画面の少なくとも一部に表示させる処理が前記録画中に行われた場合、当該表示された画面の画像データをキャプチャするとともに、当該キャプチャした画像データを前記録画している映像データに関連付けて前記記憶装置に記憶するキャプチャ手段とを備え、
前記表示制御手段は、前記録画した映像データを再生させる再生指示を前記再生手段が受け付けた場合、当該映像データに関連付けて記憶した前記画像データに基づき、前記所定の画面を前記表示画面に表示させる、電子機器。
【請求項２】
前記表示制御手段は、前記第１指示を受け付けたとき、前記電子辞書の画面として検索用画面を前記表示画面に表示させ、
前記キャプチャ手段は、前記検索用画面を介した入力によって特定された見出し語と当該見出し語についての意味とを前記表示画面の少なくとも一部に表示させる処理が行われた場合、当該表示された画面の画像データをキャプチャし、
前記表示制御手段は、前記録画した映像データを再生させる再生指示を前記再生手段が受け付けた場合、当該映像データに関連付けて記憶した前記画像データに基づき、見出し語と当該見出し語についての意味とを前記表示画面に表示させる、請求項１に記載の電子機器。
【請求項３】
前記表示制御手段は、前記特定された見出し語を含んだ複数の見出し語と、前記特定された見出し語についての意味とを、前記表示画面に同時に表示可能であり、
前記キャプチャ手段は、前記複数の見出し語と前記特定された見出し語についての意味とが前記表示画面に同時に表示された場合にも、当該表示された画面の画像データをキャプチャするとともに当該キャプチャした画像データを前記録画している映像データに関連付けて前記記憶装置に記憶する、請求項２に記載の電子機器。
【請求項４】
入力装置を介した入力に基づき、前記複数の見出し語の中から前記特定された見出し語以外の他の一つの見出し語を指定する第１指定手段を備え、
前記表示制御手段は、前記指定された見出し語についての意味を前記表示画面の少なくとも一部に表示させ、
前記キャプチャ手段は、前記複数の見出し語と前記指定された見出し語についての意味とが同時に前記表示画面に表示された場合にも、当該表示された画面の画像データをキャプチャするとともに当該キャプチャした画像データを前記録画している映像データに関連付けて前記記憶装置に記憶する、請求項３に記載の電子機器。
【請求項５】
前記特定された見出し語についての意味が前記表示画面に表示されている場合、入力装置を介した入力に基づき、表示された内容に含まれる特定の語句のうち一つの語句を指定する第２指定手段を備え、
前記表示制御手段は、第２指示を受け付けた場合、前記第２指定手段により指定された語句と当該語句の意味とを前記表示画面の少なくとも一部に表示させ、
前記キャプチャ手段は、前記指定された語句と当該語句の意味とが前記表示画面に表示された場合にも、当該表示された画面の画像データをキャプチャするとともに当該キャプチャした画像データを前記録画している映像データに関連付けて前記記憶装置に記憶する、請求項２から４のいずれか１項に記載の電子機器。
【請求項６】
前記キャプチャ手段は、第３指示を受け付けた場合、当該第３指示を受け付けた際に表示された電子辞書の画面の画像データをキャプチャするとともに、当該キャプチャした画像データを前記録画している映像データに関連付けて前記記憶装置に記憶し、
前記表示制御手段は、前記再生指示を受け付けた場合、前記第３指示を受け付けた際にキャプチャした画像データについても前記表示画面に表示させる、請求項１から５のいずれか１項に記載の電子機器。
【請求項７】
前記キャプチャ手段は、前記電子辞書の画面が前記映像データの代わりに前記表示画面に表示されている場合に、前記映像データを前記表示画面に再度表示させる第４指示を前記表示制御手段が受け付けたときには、前記第４指示を受け付けた際に表示された電子辞書の画面の画像データをキャプチャするとともに、当該キャプチャした画像データを前記録画している映像データに関連付けて前記記憶装置に記憶し、
前記表示制御手段は、前記再生指示を受け付けた場合、前記第４指示を受け付けた際にキャプチャした画像データについても前記表示画面に表示させる、請求項１から５のいずれか１項に記載の電子機器。
【請求項８】
前記表示制御手段は、前記第１指示を受け付けたとき、前記映像データを表示する代わりに前記電子辞書の画面を前記表示画面に表示させ、
前記再生手段は、前記第１指示を受け付けた後に前記映像データを前記表示画面に再度表示させる場合には、前記録画した映像データに基づき当該映像データのタイムシフト再生を行う、請求項１から７のいずれか１項に記載の電子機器。
【請求項９】
前記キャプチャ手段は、前記第１指示を受け付けた直前に表示された映像データに関連付けて前記画像データを前記記憶装置に記憶し、
前記表示制御手段は、前記再生指示を受け付けた場合、前記第１指示を受け付けた直前に表示された映像データを再生した直後に、前記画像データに基づき見出し語と当該見出し語についての意味とを前記表示画面に表示させる、請求項２から８のいずれか１項に記載の電子機器。
【請求項１０】
前記表示制御手段は、前記再生指示を受け付けた場合、映像データの再生の前に、前記画像データに基づき見出し語と当該見出し語についての意味とを前記表示画面に表示させる、請求項２から８のいずれか１項に記載の電子機器。
【請求項１１】
前記表示制御手段は、前記再生指示を受け付けた場合、映像データの再生が終了した後に、前記画像データに基づき見出し語と当該見出し語についての意味とを前記表示画面に表示させる、請求項２から８のいずれか１項に記載の電子機器。
【請求項１２】
前記映像データの録画を行っている場合、前記特定された見出し語と当該見出し語についての意味とを前記表示画面の少なくとも一部に表示させた時間を測定する測定手段を備え、
前記キャプチャ手段は、前記測定手段が測定した時間のデータを、前記録画している映像データに関連付けて前記記憶装置に記憶させ、
前記表示制御手段は、前記再生指示を受け付けた場合には、前記時間のデータで示された時間にわたり、前記画像データに基づき見出し語についての意味を前記表示画面の少なくとも一部に表示させる、請求項９から１１のいずれか１項に記載の電子機器。
【請求項１３】
前記表示制御手段は、前記第１指示を受け付けたとき、前記電子辞書の画面として検索用画面を前記表示画面に表示させ、
前記キャプチャ手段は、前記検索用画面を介した入力によって特定された見出し語を用いた例文および当該見出し語を解説するための図のうちの少なくとも１つの画面の表示がなされると、当該表示された画面の画像データをキャプチャするとともに、当該キャプチャした画像データを前記録画している映像データに関連付けて前記記憶装置に記憶し、
前記表示制御手段は、前記録画した映像データを再生させる再生指示を前記再生手段が受け付けた場合、当該映像データに関連付けて記憶した前記画像データに基づき、前記少なくとも１つの画面を再度表示する、請求項１に記載の電子機器。
【請求項１４】
前記キャプチャ手段は、前記検索用画面を介した入力によって特定された見出し語と当該見出し語についての意味とを前記表示画面の少なくとも一部に表示させる処理が行われた後に、当該特定された見出し語を用いた例文および当該見出し語を解説するための図のうちの少なくとも１つの画面の表示がなされると、当該表示された画面の画像データをキャプチャするとともに、当該キャプチャした画像データを前記録画している映像データに関連付けて前記記憶装置に記憶し、
前記表示制御手段は、前記録画した映像データを再生させる再生指示を前記再生手段が受け付けた場合、当該映像データに関連付けて記憶した前記画像データに基づき、前記見出し語および当該見出し語についての意味と、前記少なくとも１つの画面とを表示する、請求項２から１２のいずれか１項に記載の電子機器。
【請求項１５】
前記特定された見出し語と当該見出し語についての意味とが表示された画面の前記画像データを第１画像データと、当該特定された見出し語を用いた例文および当該見出し語を解説するための図のうちの少なくとも１つの画面の前記画像データを第２画像データとすると、
前記キャプチャ手段は、前記第１指示を受け付けた直前に表示された映像データに関連付けて前記第１画像データと前記第２画像データとを前記記憶装置に記憶し、
前記表示制御手段は、前記再生指示を受け付けた場合、前記第１指示を受け付けた直前に表示された映像データを再生した直後に、前記第１画像データに基づき見出し語についての意味を前記表示画面に表示させた後、前記第２画像データに基づき前記少なくとも１つの画面の表示を行う、請求項１４に記載の電子機器。
【請求項１６】
前記表示制御手段は、前記録画した映像データの再生中に前記第１指示を受け付けたとき、前記電子辞書における検索用画面を前記表示画面に再度表示させ、
前記キャプチャ手段は、前記再度表示させた検索用画面を介した入力によって特定された見出し語と当該見出し語についての意味とを前記表示画面の少なくとも一部に表示させる処理が行われた場合、当該表示された画面の画像データをキャプチャするとともに、当該キャプチャした画像データを前記録画している映像データに関連付けて前記記憶装置に追加記憶する、請求項２から１２のいずれか１項に記載の電子機器。
【請求項１７】
前記再生手段は、前記検索用画面が前記表示画面に再度表示された場合、前記録画した映像データの再生を中断する、請求項１６に記載の電子機器。
【請求項１８】
前記表示制御手段は、前記再生指示を前記再生手段が受け付けた場合、前記追加記憶した前記画像データに基づく見出し語と当該見出し語についての意味とについても、前記表示画面の少なくとも一部に表示させる、請求項１６または１７に記載の電子機器。
【請求項１９】
電子辞書の機能を有する電子機器であって、
記憶装置に録画した映像データを表示画面に再生する再生手段と、
前記録画した映像データの再生中に、第１指示を受け付けたとき、前記電子辞書の画面を前記表示画面に表示させる表示制御手段と、
前記電子辞書の画面のうち所定の画面を前記表示画面の少なくとも一部に表示させる処理が前記録画中に行われた場合、当該表示された画面の画像データをキャプチャするとともに、当該キャプチャした画像データを前記録画している映像データに関連付けて前記記憶装置に記憶するキャプチャ手段とを備え、
前記表示制御手段は、前記録画した映像データを再生させる再生指示を再生手段が受け付けた場合、当該映像データに関連付けて記憶した前記画像データに基づき、前記所定の画面を前記表示画面に表示させる、電子機器。
【請求項２０】
電子辞書の機能を有する電子機器における表示制御方法であって、
受信装置を介して受信した映像データを記憶装置に録画する録画ステップと、
前記記憶装置に録画した前記映像データを表示画面に再生する再生ステップと、
前記受信した映像データを前記表示画面に表示させた状態で、当該映像データを録画している場合に、第１指示を受け付けたとき、前記電子辞書の画面を前記表示画面に表示させる表示ステップと、
前記電子辞書の画面のうち所定の画面を前記表示画面の少なくとも一部に表示させる処理が前記録画中に行われた場合、当該表示された画面の画像データをキャプチャするとともに、当該キャプチャした画像データを前記録画している映像データに関連付けて前記記憶装置に記憶するキャプチャステップとを含み、
前記表示ステップでは、前記録画した映像データを再生させる再生指示を受け付けた場合、当該映像データに関連付けて記憶した前記画像データに基づき、前記所定の画面を前記表示画面に表示させる、表示制御方法。
【請求項２１】
請求項２０に記載の表示制御方法をコンピュータに実行させるためのプログラム。
【発明の詳細な説明】
【技術分野】
【０００１】
本発明は、電子機器、表示制御方法、およびプログラムに関し、特に、録画した映像データを再生可能な、電子機器、表示制御方法、およびプログラムに関する。
【背景技術】
【０００２】
従来より、テレビ放送が視聴可能であるとともに電子辞書の機能を備えた電子機器が知られている。また、特許文献１には、ワンセグ放送等によって提供されるテレビ放送を受信するとともに、当該受信したテレビ放送を録画・再生可能な情報処理装置が開示されている。
【０００３】
なお、特許文献２には、ユーザが視聴している番組に関する補足的な情報を検索するための技術が開示されている。特許文献３には、テレビジョン信号に重畳されて伝送される文字情報を利用することによって、希望の番組または番組の中の希望の部分を容易に録画再生するための技術が開示されている。特許文献４には、テレビ放送等において出力される内容に関する情報を、当該時間の経過に伴う変化に合わせて抽出し、当該抽出した情報から生成したキーワードを基に、当該テレビ放送等に関連する情報を検索する技術が開示されている。
【特許文献１】特開２００７−２０１６８３号公報
【特許文献２】特開平９−２９４２５３号公報
【特許文献３】特開平１０−２８５５２号公報
【特許文献４】特開２００４−２１５０９４号公報
【発明の開示】
【発明が解決しようとする課題】
【０００４】
ところで、特許文献１の情報処理装置に電子辞書を搭載した場合であっても、テレビ放送を録画しつつユーザが当該テレビ放送を視聴しているときに、ユーザがテレビ放送の視聴を中断して当該中断の間にユーザが電子辞書を用いて表示させた所定の画面については、上記録画したテレビ放送の再生中においては表示されない。
【０００５】
このため、場合によっては、ユーザは、上記再生中においても上記所定の画面を呼び出すための入力を行う必要が生じる。
【０００６】
本願発明は、上記問題点に間がみなされたものであって、その目的は、映像データの再生時において、当該映像データの録画時に表示した所定の辞書画面を呼び出すためのユーザの入力作業が不要となる、電子機器、表示制御方法、およびプログラムを提供することにある。
【課題を解決するための手段】
【０００７】
本発明のある局面に従うと、電子機器は、電子辞書の機能を有する電子機器であって、受信装置を介して受信した映像データを記憶装置に録画する録画手段と、記憶装置に録画した映像データを表示画面に再生する再生手段と、受信した映像データを表示画面に表示させた状態で、当該映像データを録画手段によって録画している場合に、第１指示を受け付けたとき、電子辞書の画面を表示画面に表示させる表示制御手段と、電子辞書の画面のうち所定の画面を表示画面の少なくとも一部に表示させる処理が前記録画中に行われた場合、当該表示された画面の画像データをキャプチャするとともに、当該キャプチャした画像データを上記録画している映像データに関連付けて記憶装置に記憶するキャプチャ手段とを備え、表示制御手段は、録画した映像データを再生させる再生指示を再生手段が受け付けた場合、当該映像データに関連付けて記憶した画像データに基づき、所定の画面を表示画面に表示させる。
【０００８】
また、表示制御手段は、第１指示を受け付けたとき、電子辞書の画面として検索用画面を表示画面に表示させ、キャプチャ手段は、検索用画面を介した入力によって特定された見出し語と当該見出し語についての意味とを表示画面の少なくとも一部に表示させる処理が行われた場合、当該表示された画面の画像データをキャプチャし、表示制御手段は、録画した映像データを再生させる再生指示を再生手段が受け付けた場合、当該映像データに関連付けて記憶した画像データに基づき、見出し語と当該見出し語についての意味とを表示画面に表示させることが好ましい。
【０００９】
また、表示制御手段は、特定された見出し語を含んだ複数の見出し語と、特定された見出し語についての意味とを、表示画面に同時に表示可能であり、キャプチャ手段は、複数の見出し語と特定された見出し語についての意味とが表示画面に同時に表示された場合にも、当該表示された画面の画像データをキャプチャするとともに当該キャプチャした画像データを録画している映像データに関連付けて記憶装置に記憶することが好ましい。
【００１０】
また、入力装置を介した入力に基づき、複数の見出し語の中から特定された見出し語以外の他の一つの見出し語を指定する第１指定手段を備え、表示制御手段は、指定された見出し語についての意味を表示画面の少なくとも一部に表示させ、キャプチャ手段は、複数の見出し語と指定された見出し語についての意味とが同時に表示画面に表示された場合にも、当該表示された画面の画像データをキャプチャするとともに当該キャプチャした画像データを録画している映像データに関連付けて記憶装置に記憶することが好ましい。
【００１１】
また、特定された見出し語についての意味が表示画面に表示されている場合、入力装置を介した入力に基づき、表示された内容に含まれる特定の語句のうち一つの語句を指定する第２指定手段を備え、表示制御手段は、第２指示を受け付けた場合、第２指定手段により指定された語句と当該語句の意味とを表示画面の少なくとも一部に表示させ、キャプチャ手段は、指定された語句と当該語句の意味とが表示画面に表示された場合にも、当該表示された画面の画像データをキャプチャするとともに当該キャプチャした画像データを録画している映像データに関連付けて記憶装置に記憶することが好ましい。
【００１２】
また、キャプチャ手段は、第３指示を受け付けた場合、当該第３指示を受け付けた際に表示された電子辞書の画面の画像データをキャプチャするとともに、当該キャプチャした画像データを録画している映像データに関連付けて記憶装置に記憶し、表示制御手段は、再生指示を受け付けた場合、第３指示を受け付けた際にキャプチャした画像データについても表示画面に表示させることが好ましい。
【００１３】
また、キャプチャ手段は、電子辞書の画面が映像データの代わりに表示画面に表示されている場合に、映像データを表示画面に再度表示させる第４指示を表示制御手段が受け付けたときには、第４指示を受け付けた際に表示された電子辞書の画面の画像データをキャプチャするとともに、当該キャプチャした画像データを録画している映像データに関連付けて記憶装置に記憶し、表示制御手段は、再生指示を受け付けた場合、第４指示を受け付けた際にキャプチャした画像データについても表示画面に表示させることが好ましい。
【００１４】
また、表示制御手段は、第１指示を受け付けたとき、映像データを表示する代わりに電子辞書の画面を表示画面に表示させ、再生手段は、第１指示を受け付けた後に映像データを表示画面に再度表示させる場合には、録画した映像データに基づき当該映像データのタイムシフト再生を行うことが好ましい。
【００１５】
また、キャプチャ手段は、第１指示を受け付けた直前に表示された映像データに関連付けて画像データを記憶装置に記憶し、表示制御手段は、再生指示を受け付けた場合、第１指示を受け付けた直前に表示された映像データを再生した直後に、画像データに基づき見出し語と当該見出し語についての意味とを表示画面に表示させることが好ましい。
【００１６】
また、表示制御手段は、再生指示を受け付けた場合、映像データの再生の前に、画像データに基づき見出し語と当該見出し語についての意味とを表示画面に表示させることが好ましい。
【００１７】
また、表示制御手段は、再生指示を受け付けた場合、映像データの再生が終了した後に、画像データに基づき見出し語と当該見出し語についての意味とを表示画面に表示させることが好ましい。
【００１８】
また、映像データの録画を行っている場合、特定された見出し語と当該見出し語についての意味とを表示画面の少なくとも一部に表示させた時間を測定する測定手段を備え、キャプチャ手段は、測定手段が測定した時間のデータを、録画している映像データに関連付けて記憶装置に記憶させ、表示制御手段は、再生指示を受け付けた場合には、時間のデータで示された時間にわたり、画像データに基づき見出し語についての意味を表示画面の少なくとも一部に表示させることが好ましい。
【００１９】
また、表示制御手段は、第１指示を受け付けたとき、電子辞書の画面として検索用画面を表示画面に表示させ、キャプチャ手段は、検索用画面を介した入力によって特定された見出し語を用いた例文および当該見出し語を解説するための図のうちの少なくとも１つの画面の表示がなされると、当該表示された画面の画像データをキャプチャするとともに、当該キャプチャした画像データを録画している映像データに関連付けて記憶装置に記憶し、表示制御手段は、録画した映像データを再生させる再生指示を再生手段が受け付けた場合、当該映像データに関連付けて記憶した画像データに基づき、少なくとも１つの画面を再度表示することが好ましい。
【００２０】
また、キャプチャ手段は、検索用画面を介した入力によって特定された見出し語と当該見出し語についての意味とを表示画面の少なくとも一部に表示させる処理が行われた後に、当該特定された見出し語を用いた例文および当該見出し語を解説するための図のうちの少なくとも１つの画面の表示がなされると、当該表示された画面の画像データをキャプチャするとともに、当該キャプチャした画像データを録画している映像データに関連付けて記憶装置に記憶し、表示制御手段は、録画した映像データを再生させる再生指示を再生手段が受け付けた場合、当該映像データに関連付けて記憶した画像データに基づき、見出し語および当該見出し語についての意味と、上記少なくとも１つの画面とを表示することが好ましい。
【００２１】
また、特定された見出し語と当該見出し語についての意味とが表示された画面の画像データを第１画像データと、当該特定された見出し語を用いた例文および当該見出し語を解説するための図のうちの少なくとも１つの画面の画像データを第２画像データとすると、キャプチャ手段は、第１指示を受け付けた直前に表示された映像データに関連付けて第１画像データと第２画像データとを記憶装置に記憶し、表示制御手段は、再生指示を受け付けた場合、第１指示を受け付けた直前に表示された映像データを再生した直後に、第１画像データに基づき見出し語についての意味を表示画面に表示させた後、第２画像データに基づき上記少なくとも１つの画面の表示を行うことが好ましい。
【００２２】
また、表示制御手段は、録画した映像データの再生中に第１指示を受け付けたとき、電子辞書における検索用画面を表示画面に再度表示させ、キャプチャ手段は、再度表示させた検索用画面を介した入力によって特定された見出し語と当該見出し語についての意味とを表示画面の少なくとも一部に表示させる処理が行われた場合、当該表示された画面の画像データをキャプチャするとともに、当該キャプチャした画像データを録画している映像データに関連付けて記憶装置に追加記憶ことが好ましい。
【００２３】
また、再生手段は、検索用画面が表示画面に再度表示された場合、録画した映像データの再生を中断することが好ましい。
【００２４】
また、表示制御手段は、再生指示を再生手段が受け付けた場合、追加記憶した画像データに基づく見出し語と当該見出し語についての意味とについても、表示画面の少なくとも一部に表示させることが好ましい。
【００２５】
また、本発明の他の局面に従うと、電子機器は、電子辞書の機能を有する電子機器であって、記憶装置に録画した映像データを表示画面に再生する再生手段と、録画した映像データの再生中に、第１指示を受け付けたとき、電子辞書の画面を表示画面に表示させる表示制御手段と、電子辞書の画面のうち所定の画面を表示画面の少なくとも一部に表示させる処理が前記録画中に行われた場合、当該表示された画面の画像データをキャプチャするとともに、当該キャプチャした画像データを録画している映像データに関連付けて記憶装置に記憶するキャプチャ手段とを備え、表示制御手段は、録画した映像データを再生させる再生指示を再生手段が受け付けた場合、当該映像データに関連付けて記憶した画像データに基づき、所定の画面を表示画面に表示させる。
【００２６】
また、本発明のさらに他の局面に従うと、表示制御方法は、電子辞書の機能を有する電子機器における表示制御方法であって、受信装置を介して受信した映像データを記憶装置に録画する録画ステップと、記憶装置に録画した映像データを表示画面に再生する再生ステップと、受信した映像データを表示画面に表示させた状態で、当該映像データを録画している場合に、第１指示を受け付けたとき、電子辞書の画面を表示画面に表示させる表示ステップと、電子辞書の画面のうち所定の画面を表示画面の少なくとも一部に表示させる処理が前記録画中に行われた場合、当該表示された画面の画像データをキャプチャするとともに、当該キャプチャした画像データを録画している映像データに関連付けて記憶装置に記憶するキャプチャステップとを含み、表示ステップでは、録画した映像データを再生させる再生指示を受け付けた場合、当該映像データに関連付けて記憶した画像データに基づき、所定の画面を表示画面に表示させる。
【００２７】
また、本発明のさらに他の局面に従うと、プログラムは、上記の表示制御方法をコンピュータに実行させるためのプログラムである。
【発明の効果】
【００２８】
録画した映像データを再生する場合、録画時に表示した所定の画面が自動的に表示画面に表示されるため、当該再生中において、電子辞書を用いて上記所定の画面を呼び出すためのユーザの入力作業が不要となる。また、表示画面に表示した辞書画面の全ての画面をキャプチャする構成に比べて、記憶するデータの容量を少なくすることが可能となる。
【発明を実施するための最良の形態】
【００２９】
本発明の一実施形態である電子機器について、図１〜図１４に基づいて説明すると、以下の通りである。
【００３０】
図１は、電子機器の概略構成を示した機能ブロック図である。
電子機器１は、同図に示すとおり、入力部１１と、表示部１２と、音声出力部１３と、受信部１４と、メモリ１５と、記憶部１６と、辞書データベース１７と、制御部１８とを備えている。
【００３１】
入力部１１は、ユーザからの入力を受け付けるための入力デバイスである。入力部１１を介してユーザが語句等の入力を行うことにより、メモリ１５に当該入力された語句等が一時的に記憶される。
【００３２】
表示部１２は、制御部１８からの指示に基づき、入力部１１を介して入力されたデータ、および制御部１８における各種の処理の結果を表示するためのデバイスである。
【００３３】
音声出力部１３は、制御部１８からの指示に基づき、音声を出力する。
受信部１４は、テレビ放送やストリームデータ等の映像データを受信し、受信した映像データに対して所定のデータ処理を行う。そして、受信部１４は、処理後の映像データを制御部１８に送る。
【００３４】
メモリ１５は、入力部１１を介して入力されたデータ、制御部１８により処理されるデータ、および制御部１８により処理されている途中のデータ等を、一時的に記憶する。例えば、メモリ１５は、制御部１８が辞書データベース１７から読み出した後述する辞書データを一時記憶する。
【００３５】
記憶部１６は、受信部１４で受信したデータや、その他各種のデータを記憶する。なお、記憶部１６へのデータの記憶（書き込み）および記憶したデータの読み出しは、制御部１８により行われる。なお、以下では、記憶部１６に記憶されるデータが映像データである場合には、記憶という用語の代わりに録画という用語を用いる。
【００３６】
辞書データベース１７には、予め各種の辞書データが記憶されている。辞書データベース１７には、例えば、国語辞典、漢和辞典、英和辞典、和英辞典、百科事典等の辞書データが記憶されている。
【００３７】
制御部１８は、電子機器１の各種の動作を制御する。また、制御部１８は、表示制御部２１と、録画部２２と、再生部２３と、キャプチャ部２４と、第１指定部２５と、第２指定部２６と、測定部２７とを備えている。なお、制御部１８および制御部１８内の各部は機能ブロックであり、これらのブロックにおける処理は、後述するＣＰＵにより実行されるソフトウェアによって実現される。
【００３８】
ここで、制御部１８の各機能ブロックについて、説明する。
表示制御部２１は、表示部１２に表示させる表示内容を制御する。例えば、受信部１４を介してテレビ放送を受信した場合には、表示制御部２１は、当該テレビ放送を表示部１２に表示させる。また、制御部１８によって辞書機能が動作している場合には、表示制御部２１は、辞書の画面を表示部１２に表示させる。
【００３９】
また、表示制御部２１は、受信した映像データを表示部１２の表示画面に表示させた状態で、当該映像データを録画部２２によって録画している場合に、所定の指示（第１指示）を受け付けたとき、電子辞書における検索用画面を表示画面に表示させる。
【００４０】
ここで、上記の所定の指示とは、例えば、ユーザによる入力部１１を介した電子辞書を起動する指示（例えば、辞書起動用の操作キーの押下）や、辞書が既に起動している状態での入力部１１を介した検索用画面を呼び出す指示等が挙げられる。また、検索用画面とは、ユーザが語句等の意味を調べるために、ユーザから文字や文字列等の入力（音声入力を含む）を受け付けるために表示される画面（例えば図２や図３に示した画面）をいう。なお、表示制御部２１のその他の動作については、後述する。
【００４１】
録画部２２は、受信部１４を介して受信した映像データを記憶部１６に録画する。より詳しくは、録画部２２は、映像データを録画する指示を入力部１１を介して受け付けた場合、録画を停止する指示を入力部１１が受け付けるまで、映像データを記憶部１６に録画する。
【００４２】
再生部２３は、記憶部１６に録画した映像データを表示部１２に再生する。より詳しくは、再生部２３は、録画した映像データを再生する指示を入力部１１を介して受け付けた場合、記憶部１６から映像データを順次読み出すとともに、読み出した映像データを表示制御部２１を利用して表示部１２に表示させる。なお、録画したどの映像データを再生するか、映像データのどの部分から再生するかについては、ユーザによる入力部１１を介した指示に基づいて決定される。
【００４３】
キャプチャ部２４は、辞書の検索用画面を介した入力によって特定された見出し語と当該見出し語についての意味とを表示部１２の少なくとも一部に表示させる処理が表示制御部２１によって行われた場合、当該表示された画面の画像データ（つまり、表示されている画像そのものを示すデータ）をキャプチャする。つまり、入力部１１を介したユーザの入力によって、見出し語が特定されるとともに当該特定された見出し語と当該見出し語についての意味とを表示部１２の少なくとも一部に表示させる処理が行われると、キャプチャ部２４は当該表示された画面の画像データ（以下、第１画像データ）をキャプチャする。
【００４４】
ここで、見出し語が特定されるとは、電子機器１の制御部１８が、例えばユーザによる検索用画面を用いた語句等の入力により、電子機器１内で一つの見出し語が指定された状態を指す。例えば、ユーザが検索用画面を用いて見出し語そのものを入力した場合や、見出し語そのものを入力していないが辞書機能の一つである前方一致検索機能等を用いて、見出し語の候補を表示するとともに、候補のひとつを予め指定している場合等が挙げられる。
【００４５】
また、キャプチャ部２４は、上記キャプチャした第１画像データを、録画している映像データに関連付けて記憶部１６に記憶する。
【００４６】
なお、見出し語とは、辞書で項目を示すために掲げられた語をいう。また、本実施の形態においては、見出し語には、成句や複合語等の辞書において項目として表示可能な語句が含まれるものとする。
【００４７】
このように、キャプチャ部２４は、録画後において、見出し語と当該見出し語についての意味とを表示可能とするために、当該見出し語と当該見出し語についての意味とを記した画像データをキャプチャする。
【００４８】
また、キャプチャされた第１画像データは、記憶部１６に記憶された後、制御部１８により管理される。なお、キャプチャされた第１画像データは、一旦、メモリ１５に記憶され、その後、記憶部１６に記憶される。
【００４９】
さらに、キャプチャ部２４は、後述するプレビュー機能オフの状態でリスト表示がされた場合、見出し語の例文が表示された場合、および見出し語を解説するため画像（図や写真）が表示された場合の少なくとも１つ以上がなされた場合には、当該表示された画面の画像データをキャプチャする。つまり、上記見出し語の例文および見出し語を解説するため画像を再度表示可能とするために、これら一旦表示された画面の画像データをキャプチャする。また、キャプチャ部２４は、当該キャプチャした画像データ（以下、第２画像データ）を、録画している映像データに関連付けて記憶部１６に記憶する。なお、当該第２画像データも、上記第１画像データと同様に、制御部１８により管理される。
【００５０】
なお、第１画像データと映像データとの関連付け、および第２画像データと映像データとの関連付けについての具体的方法については、後述する。
【００５１】
また、電子機器１においては、検索に際しては、辞書データベース１７に記憶されている複数の辞書を用いて検索する一括検索、検索用画面において文字を入力するたびに候補を絞り込みながら表示する絞込検索、または表示画面を残したまま別の見出し語の意味を表示する検索を行うことができる。
【００５２】
第１指定部２５は、電子機器１における辞書機能がプレビューモードとして機能している場合に用いられる機能ブロックである。第１指定部２５は、見出し語がリストとして複数表示されている場合、ユーザによる入力部１１を介した見出し語を指定する入力があれば、当該入力に基づき複数の見出し語の中から一つの見出し語を指定する。
【００５３】
ここで、プレビューモードについて図２に基づいて説明する。なお、以下では、電子機器１において検索対象となる言語が日本語である場合を例に挙げて説明する。ただし、日本語は一例であって、これに限定されるものではない。
【００５４】
図２は、プレビューモードにおいて、上記検索用画面を介して入力を行っている状態を示した図である。
【００５５】
プレビューモードでは、表示制御部２１は、辞書データベース１７を参照し、図２に示すとおり入力した平仮名またはカタカナと完全一致または前方一致する見出し語のリストを表示部１２の表示画面に表示する。なお、同図では、完全一致した見出し語のみのリストが表示されている。さらに、プレビューモードでは、表示制御部２１は、辞書データベース１７を参照し、リスト表示された見出し語のうち一つの見出し語（特定された見出し語）と当該見出し語についての意味の全部または一部とを上記表示画面の一部領域に表示（プレビュー表示）する。ここで意味を表示する場合、表示制御部２１は、まず、リストの一番最初に表示された見出し語の意味を表示する。同図では、「鯛」といった見出し語と当該見出し語についての意味とが表示された例を示している。
【００５６】
そして、入力部１１を介して見出し語を決定する入力があった場合、表示制御部２１は、リスト表示を非表示とし、意味がプレビュー表示されている見出し語についてプレビュー表示の表示領域よりも広い表示領域を用いて見出し語の意味を表示する。
【００５７】
なお、以下では、意味が表示された画面を詳細画面とも称する。また、詳細画面のうち、上記のようにリスト表示を非表示として見出し語の意味を表示した画面を、リスト非表示詳細画面と称する。さらに、詳細画面のうち、上記のようにリスト表示を行うとともに見出し語の意味を表示した画面を、リスト表示詳細画面と称する。なお、リスト表示詳細画面におけるプレビュー表示の表示領域を、プレビュー画面と称する。
【００５８】
図３は、リスト内における他の見出し語を指定した場合における表示画面の状態を示した図である。
【００５９】
第１指定部２５により他の見出し語が指定された場合には、図３に示すとおり、表示制御部２１は、当該指定した見出し語と当該見出し語についての意味とを表示画面の一部領域に表示する。なお、同図では、「対」といった見出し語と当該見出し語についての意味とが表示された例を示している。
【００６０】
なお、電子機器１においては、ユーザからの入力部１１を介した所定の入力により、表示制御部２１はプレビュー機能をオン・オフすることが可能である。これにより、電子機器１では、表示画面におけるリスト表示詳細画面の有無を切り替えることができる。
【００６１】
また、プレビュー機能をオフにした状態で検索を行う場合には、上述したリスト表示はなされるものの、リスト表示と同時に特定された見出し語の意味の表示はなされない。この場合、入力部１１を介して見出し語についての意味を表示させる入力を表示制御部２１が受け付けることにより、当該見出し語についての意味が表示画面に表示されることになる。
【００６２】
第２指定部２６は、後述するジャンプ機能と呼ばれる機能を実行する際に用いられる機能ブロックである。第２指定部２６は、上記のリスト非表示詳細画面において、ユーザから入力部１１を介した語句を指定する入力があれば、表示された見出し語についての意味を記した内容に含まれる特定の語句のうち一つの語句を指定する。つまり、第２指定部２６は、特定された見出し語についての意味が表示部１２の表示画面に表示されている場合、表示された内容に含まれる特定の語句のうち一つの語句を指定する。ここで、ジャンプ機能について説明する。
【００６３】
図４は、リスト非表示詳細画面の一例を示した図である。
リスト非表示詳細画面において示された見出し語についての意味を記した内容（ここでは文字列）には、通常、辞書データベース１７において見出し語として定義されている語句（以下では、説明の便宜上、見出し語相当語句と称する）が含まれている。例えば、図４の場合には、「バロック」、「音楽」、「ウィーン」…といった見出し語相当語句が、古典派音楽といった見出し語についての意味を記した内容に含まれている。
【００６４】
ここで、見出し語相当語句のうち一つの語句を指定する入力が入力部１１を介して入力された場合、第２指定部２６は、当該入力に基づき一つの見出し語相当語句を指定する。この場合において、当該指定した語句についての意味を表示させる入力が入力部１１を介して入力された場合、表示制御部２１は、当該指定された見出し語相当語句についての意味を表示画面の少なくとも一部に表示させる。
【００６５】
図５は、ジャンプ機能を実行した後の表示画面を示した図である。つまり、同図は、指定された見出し語相当語句の意味を少なくとも一部に表示させた表示画面を示した図である。
【００６６】
例えば、「バロック」といった見出し語相当語句を指定する入力を入力部１１が受け付けた場合、図５に示すとおり、「バロック」といった語句の意味が表示画面に表示される。なお、「バロック」といった語句の意味を表示する際に、現在使用している辞書とは別の辞書を用いて、当該語句の意味を表示させてもよい。例えば、国語辞典を使用している場合、「バロック」といった語句の意味を表示する場合、百科事典を用いて当該語句の意味を表示させてもよい。
【００６７】
以上のように、表示制御部２１は、所定の指示（第２指示）を受け付けた場合、第２指定部２６により指定された見出し語相当語句と、当該見出し語相当語句についての意味とを、表示画面の少なくとも一部に表示させる。ここで、上記所定の指示としては、第２指定部２６により見出し語相当語句が指定された状態において、当該見出し語相当語句についての意味を表示画面に表示させるための、ユーザによる入力部１１を介した指示（例えば、入力部１１を構成する検索／決定キーの押下）が挙げられる。
【００６８】
ところで、上記においては、ジャンプ機能として、第２指定部２６によって指定した見出し語についての意味を表示する機能を例に挙げたが、これに限定されるものではない。例えば、ジャンプ機能には、見出し語の意味が表示されている状態から、当該見出し語の例文が示された画面に遷移する機能も含まれる。さらに、ジャンプ機能には、当該見出し語を解説するための画像（図や写真）が示された画面に遷移する機能も含まれる。つまり、上記ジャンプ機能には、上述した見出し語の意味を示した画面（つまり、詳細画面）以外の画面表示によって、当該見出し語を説明する機能も含まれる。
【００６９】
測定部２７は、録画部２２によって映像データの録画を行っている場合、上記特定された見出し語と当該見出し語についての意味とを表示画面の少なくとも一部に表示させた時間を測定する。つまり、測定部２７は、映像データを表示した画面（例えば、テレビ放送表示画面）の代わりに、辞書画面が表示された時間のうち上記特定された見出し語と当該見出し語についての意味とが表示された時間を測定する。さらに言い換えると、測定部２７は、上述した詳細画面が表示されている時間を測定する。
【００７０】
また、測定部２７が上記時間を測定した場合、キャプチャ部２４は、当該測定した表示時間のデータを、測定開始時刻と測定終了時刻とともに、上記第１画像データに関連付けて記憶部１６に記憶させる。
【００７１】
さらに、測定部２７は、プレビュー機能オフの状態でリスト表示がされた場合、見出し語の例文が表示された場合、および見出し語を解説するため画像が表示された場合の少なくとも１つ以上の表示なされた場合には、これらの表示がなされている時間を測定する。そして、キャプチャ部２４が、測定開始時刻と測定終了時刻とともに当該測定した表示時間を上記第２画像データに関連付けて記憶する。
【００７２】
以上により、これらの測定開始時刻、測定終了時刻、および測定した表示時間が、キャプチャ部２４によって、録画対象となった映像データに関連付けて記憶されることになる。
【００７３】
なお、以下では、測定した表示時間と測定開始時刻と測定終了時刻とを含めたデータを、表示時間データと称する。この表示時間データは、キャプチャされた画像データ毎に存在する。また、以下では、プレビュー機能オフの状態でリスト表示がされた場合、見出し語の例文が表示された場合、および見出し語を解説するため画像が表示された場合の少なくとも１つ以上の表示なされた場合を、説明の便宜上、例文表示等がされた場合と称する。
【００７４】
また、以下では、説明の便宜上、上記映像データとしてテレビ放送を例に挙げて説明する。また、測定部２７が、録画開始時刻を０時０分０秒とし、上記時間を測定する構成を例に挙げて説明する。
【００７５】
ここで、図６を参照して、本実施の形態に係る電子機器１の具体的構成の一態様について説明する。同図は、電子機器１として機能するコンピュータシステム１００のハードウェア構成を表わすブロック図である。
【００７６】
コンピュータシステム１００は、主たる構成要素として、プログラムを実行するＣＰＵ１１０と、コンピュータシステム１００の使用者による指示の入力を受けるマウス１２０およびキーボード１３０と、ＣＰＵ１１０によるプログラムの実行により生成されたデータ、又はマウス１２０若しくはキーボード１３０を介して入力されたデータを揮発的に格納するＲＡＭ１４０と、データを不揮発的に格納するハードディスク１５０と、ＣＤ−ＲＯＭ（Compact Disk-Read Only Memory）駆動装置１６０と、モニタ１７０と、通信ＩＦ（Interface）１８０と、スピーカ１９０と、チューナ２００とを含む。各構成要素は、相互にデータバスによって接続されている。ＣＤ−ＲＯＭ駆動装置１６０には、ＣＤ−ＲＯＭ１６１が装着される。
【００７７】
なお、電子機器１における入力部１１がキーボード１３０およびマウス１２０に該当し、表示部１２がモニタ１７０に該当し、記憶部１６および辞書データベース１７がハードディスク１５０に該当し、メモリ１５がＲＡＭ１４０し、音声出力部１３がスピーカに該当し、受信部１４がチューナ２００に該当する。
【００７８】
コンピュータシステム１００における処理は、各ハードウェアおよびＣＰＵ１１０により実行されるソフトウェアによって実現される。このようなソフトウェアは、ハードディスク１５０に予め記憶されている場合がある。また、ソフトウェアは、ＣＤ−ＲＯＭ１６１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＣＤ−ＲＯＭ駆動装置１６０その他の読取装置によりその記憶媒体から読み取られて、あるいは、通信ＩＦ１８０を介してダウンロードされた後、ハードディスク１５０に一旦格納される。そのソフトウェアは、ＣＰＵ１１０によってハードディスク１５０から読み出され、ＲＡＭ１４０に実行可能なプログラムの形式で格納される。ＣＰＵ１１０は、そのプログラムを実行する。
【００７９】
同図に示されるコンピュータシステム１００を構成する各構成要素は、一般的なものである。したがって、本発明の本質的な部分は、ＲＡＭ１４０、ハードディスク１５０、ＣＤ−ＲＯＭ１６１その他の記憶媒体に格納されたソフトウェア、あるいはネットワークを介してダウンロード可能なソフトウェアであるともいえる。なお、コンピュータシステム１００の各ハードウェアの動作は周知であるので、詳細な説明は繰り返さない。
【００８０】
なお、記録媒体としては、ＣＤ−ＲＯＭ、ＦＤ（Flexible  Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを含む）、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。
【００８１】
ここでいうプログラムとは、ＣＰＵにより直接実行可能なプログラムだけでなく、ソースプログラム形式のプログラム、圧縮処理されたプログラム、暗号化されたプログラム等を含む。
【００８２】
ところで、上記構成は、あくまでも具体的構成の一態様にすぎず、上記マウスを備えず、かつ、キーボードとモニタとハードディスクとが電子機器１内に備えられている構成であってもよい。電子機器１は、電子辞書や携帯電話等のポータブル型の携帯情報端末としても構成できる。
【００８３】
このような携帯情報端末として電子機器１を構成する場合には、ハードディスク１５０の代わりに例えばフラッシュメモリを用いることができる。また、入力部１１として、タッチペン式の入力装置を備える構成としてもよい。さらに、小型化の観点から、モニタ１７０としては、液晶モニタや有機ＥＬモニタ等の薄型のモニタを使用することが好適である。また、小型化の観点から、ＣＤ−ＲＯＭ駆動装置の代わりにメモリカードを読み取る装置を設けておき、記録媒体としてＣＤ−ＲＯＭの代わりに当該メモリカードを用いることが好適である。
【００８４】
図７は、受信したテレビ放送を表示画面に表示するとともに当該テレビ放送を録画している際に、ユーザが辞書機能を用いて語句の意味を調べた場合の表示画面の遷移を示した図である。
【００８５】
図７における１つ目の状態は、受信したテレビ放送を表示画面に表示するとともに、当該テレビ放送を録画している際の図である。また、同図における２つ目の状態は、１つ目の状態から所定時間経過したときのテレビ放送の画面（以下、テレビ画面）を示した図である。
【００８６】
ここで、表示制御部２１によりテレビ画面に代わり辞書画面が表示された場合、図７における３つ目の状態のように、見出し語が特定されて当該見出し語と当該見出し語についての意味とが表示画面の少なくとも一部に表示されると、キャプチャ部２４は、当該表示された画面の画像データ（つまり、第１画像データ）をキャプチャし、当該キャプチャした第１画像データを録画対象となっているテレビ放送の録画データと関連付けて記憶部１６に記憶する。
【００８７】
また、上記第１画像データの上記関連付けは、テレビ画面から辞書画面に切り替える直前に表示されていたテレビ映像に対して行われる。このテレビ映像との関連付けについては、当該テレビ映像を特定できる方法であれば、その方法は特に限定されない。例えば、録画開始からの経過時間に基づいて、上記第１画像データとテレビ映像との関連付けを行うことができる。また、直前に表示されていたテレビ映像に対して、特定のフラグを付して、上記第１画像データとテレビ映像との関連付けをおこなってもよい。なお、上記第１画像データの上記関連付けは、テレビ画面から辞書画面に切り替わった直後に受信されたテレビ映像に対して行ってもよい。
【００８８】
また、上記第２画像データの関連付けについても、上記第１画像データと同様に行われる。以下では、上記映像データのうち、第１画像データや第２画像データが関連付けられた画像データを、説明の便宜上、関連付け画像データと称する。
【００８９】
ここで、当該見出し語と当該見出し語についての意味とが表示画面の少なくとも一部に表示された後に一旦テレビ画面に切り替えられ、その後、他の見出し語と当該他の見出し語についての意味とが表示画面の少なくとも一部に表示された場合、これらの表示によりキャプチャされた２つの第１画像データは、異なるの映像データ（つまり、異なる関連付け画像データ）に関連付けられる。
【００９０】
また、当該見出し語と当該見出し語についての意味とが表示画面の少なくとも一部に表示された後に一旦テレビ画面に切り替えられ、その後、例文表示等がされた場合も、これらの表示によりキャプチャされた第１画像データと第２画像データとは、異なる映像データ（異なる関連付け画像データ）に関連付けられる。
【００９１】
一方、当該見出し語と当該見出し語についての意味とが表示画面の少なくとも一部に表示された後にテレビ画面に切り替ることなく、他の見出し語と当該他の見出し語についての意味とが表示画面の少なくとも一部に表示された場合、これらの表示によりキャプチャされた２つの第１画像データは、ともに同一の映像データ（つまり、同一の関連付け画像データ）に関連付けられる。
【００９２】
また、当該見出し語と当該見出し語についての意味とが表示画面の少なくとも一部に表示された後にテレビ画面に切り替ることなく、例文表示等がされた場合も、これらの表示によりキャプチャされた第１画像データと第２画像データとは、同一の映像データ（同一の関連付け画像データ）に関連付けられる。
【００９３】
図７における３つ目の状態は、より具体的には、リスト表示がされており、かつ特定された見出し語と当該見出し語についての意味とが表示された、一括検索における辞書画面を示している。この３つ目の状態は、「ばりう」としか入力されていないが前方一致検索により「バリウム」等の語句が検索されてリスト表示されるともに、リストの一番上に表示された「バリウム」の意味が表示画面の少なくとも一部に表示された状態を示した図である。
【００９４】
この場合、測定部２７は、特定された見出し語「バリウム」についての意味を表示画面の少なくとも一部に表示させた時間の測定を開始する。さらに、同図には示していないが、さらに表示画面がリスト非表示詳細画面に移行し場合や、例文表示画面に移行した場合には、キャプチャ部２４は上述した第２画像データをキャプチャする。この場合、各画面が表示された時間を測定部２７が上述した時間の測定を開始する。
【００９５】
ここで、辞書画面から、再度テレビ表示の画面に切り替わった場合（図７における４つ目の状態）には、測定部２７による上述した時間の測定を終了し、第１画像データと第２画像データとに、計測した時間のデータをそれぞれ関連付ける。
【００９６】
そして、辞書画面から、再度テレビ画面に切り替わった場合には、記憶部１６に録画した映像データに基づいて、表示制御部２１は、タイムシフト再生（ここでは、録画しながら再生）を行う。つまり、受信したテレビ放送をリアルタイムに表示するのではなく、辞書画面に切り替わった時点において録画されたデータを起点として、時間的に遅延して、録画したテレビ放送を再生する。これにより、ユーザは、辞書画面が表示されていることによってリアルタイムに視聴ができなかったテレビ放送の部分についても、時間的に遅れて視聴可能となる。なお、図７の５つ目の状態は、テレビ放送の録画が終了する直前のテレビ画面である。
【００９７】
図８は、上記のように、テレビ放送の録画時に辞書画面を表示させた場合における、表示画面に示される内容を時系列に沿って示した図である。
【００９８】
テレビ放送を表示画面に表示させながら当該映像を録画しているときに（テレビ映像Ａの状態）、辞書画面を表示させる指示を表示制御部２１が受け付けると、表示制御部２１は、表示画面をテレビ画面から辞書画面に切り替る（辞書映像Ａ）。その後、辞書画面を非表示とする指示を表示制御部２１が受け付けると、表示制御部２１は、表示画面を辞書画面からテレビ画面に切り替る。この場合、テレビ放送は、内容が間引かれないよう、辞書画面に切り替った際に表示された箇所から再生が行われる（テレビ映像Ｂ）。つまり、表示制御部２１は、録画した映像データに基づいてタイムシフト再生を行う。
【００９９】
当該タイムシフト再生中に、再度、辞書画面を表示させる指示を表示制御部２１が受け付けると、表示制御部２１は、表示画面をテレビ画面から辞書画面に切り替る（辞書映像Ｂ）。その後、辞書画面を非表示とする指示を表示制御部２１が受け付けると、表示制御部２１は、表示画面を辞書画面からテレビ画面に切り替る。この場合にも、表示制御部２１は、録画した映像データに基づいてタイムシフト再生を行う（テレビ映像Ｃ）。
【０１００】
次に、一旦、録画が完了したテレビ放送を、例えば後日に再生する際に、表示画面に表示される内容について説明する。
【０１０１】
なお、以下では、最初に、上記第１画像データと上記第２画像データとが同一の映像データ（つまり、同一の関連付け画像データ）に関連付けられる例について説明する。また、テレビ放送の録画中において、第１画像データのキャプチャが、第２画像データのキャプチャよりも時間的に先に実行された場合を例に挙げて説明する。
【０１０２】
入力部１１を介して再生指示を受け付けると、再生部２３は、指示を受けた録画データの再生を開始する。再生指示を再生部２３が受け付けた場合、表示制御部２１は、当該映像データに関連付けて記憶した第１画像データに基づき、見出し語と当該見出し語についての意味とを表示画面に表示させる。この際、上記関連付け画像データが再生された直後（あるいは再生される直前）に、表示制御部２１は、テレビ放送の再生を一旦停止し、第１画像データに基づき見出し語と当該見出し語についての意味とを表示画面に表示させる。この場合、表示制御部２１は、当該第１画像データに関連付けれらた、測定部２７で測定された時間データで示された時間に亘り、見出し語と当該見出し語についての意味とを表示画面に表示させる。
【０１０３】
その後、テレビ画面に戻ることなく、表示制御部２１は、引き続き、上記第２画像データに基づき例文表示等の表示を行う。この場合、表示制御部２１は、当該第２画像データに関連付けれらた、測定部２７で測定された時間データで示された時間に亘り、例文表示等を行う。
【０１０４】
次に、２つの上記第１画像データが異なる映像データに関連付けられる例について説明する。
【０１０５】
入力部１１を介して再生指示を受け付けると、再生部２３は、指示を受けた録画データの再生を開始する。再生指示を再生部２３が受け付けた場合、表示制御部２１は、当該映像データに関連付けて記憶した一方の第１画像データに基づき、見出し語と当該見出し語についての意味とを表示画面に表示させる。この際、上記関連付け画像データが再生された直後（あるいは再生される直前）に、表示制御部２１は、テレビ放送の再生を一旦停止（中断）し、当該第１画像データに基づき見出し語と当該見出し語についての意味とを表示画面に表示させる。この場合、表示制御部２１は、当該第１画像データに関連付けれらた、測定部２７で測定された時間データで示された時間に亘り、見出し語と当該見出し語についての意味とを表示画面に表示させる。
【０１０６】
その後、テレビ画面に戻り、再生を再開する。そして、所定の時間が経過し、他方の第１画像データと関連付けがなされた映像データ（つまり、関連付け画像データ）が再生された直後（あるいは、再生される直前）に、表示制御部２１は、テレビ放送の再生を一旦停止する。そして、表示制御部２１は、上記他方の第１画像データに基づき、見出し語と当該見出し語についての意味とを表示画面に表示させる。この場合にも、表示制御部２１は、当該第１画像データに関連付けれらた、測定部２７で測定された時間データで示された時間に亘り、見出し語と当該見出し語についての意味とを表示画面に表示させる。
【０１０７】
そして、時間データで示された時間に亘り、見出し語と当該見出し語についての意味とを表示画面に表示させた後は、テレビ画面に戻り、再生を再開する。
【０１０８】
図９は、録画したテレビ放送の再生時における、表示画面に示される内容を時系列に沿って示した図である。具体的には、図８に示したように時系列に沿って録画されたテレビ放送および辞書画面を再生する際に、表示画面に表示される内容を示した図である。さらには、上述したように、２つの上記第１画像データが異なる映像データに関連付けられる例に対応する図でもある。
【０１０９】
録画したテレビ放送を再生しているときに（テレビ映像Ａの状態）、再生開始から所定の時間が経過すると、表示制御部２１は、表示画面はテレビ画面から辞書画面に切り替る（辞書映像Ａ）。なお、辞書画面に切り替っている間は、再生部２３は、テレビ放送の再生を一旦停止する。その後、辞書画面に切り替って所定の時間が経過すると、表示制御部２１によって表示画面が辞書画面からテレビ画面に切り替えるとともに、再生部２３によって再生が再開される（テレビ映像Ｂ）。
【０１１０】
再生を再開した後に所定時間が経過すると、表示制御部２１は、表示画面をテレビ画面から辞書画面に切り替る（辞書映像Ｂ）。なお、この間についても、再生部２３は、テレビ放送の再生を一旦停止する。その後、当該辞書画面に切り替ってから所定の時間が経過すると、表示制御部２１は、表示画面を辞書画面からテレビ画面に切り替る。この場合にも、表示制御部２１によって表示画面が辞書画面からテレビ画面に切り替えるとともに、再生部２３によって再生が再開される（テレビ映像Ｃ）。
【０１１１】
以上のように、電子機器１は、電子辞書の機能を有する電子機器であって、受信部１４を介して受信したテレビ放送を記憶部１６に録画する録画部２２と、記憶部１６に録画したテレビ放送を表示部１２の表示画面に再生する再生部２３とを備える。また、電子機器１は、受信したテレビ放送を表示画面に表示させた状態で、当該テレビ放送を録画部２２によって録画している場合に、第１指示を受け付けたとき、電子辞書における検索用画面を表示画面に表示させる表示制御部２１を備える。さらに、電子機器１は、検索用画面を介した入力によって特定された見出し語と当該見出し語についての意味とを表示画面の少なくとも一部に表示させる処理が当該録画中に行われた場合、当該表示された画面の画像データをキャプチャするとともに、当該キャプチャした画像データを上記録画しているテレビ放送に関連付けて記憶部１６に記憶するキャプチャ部２４とを備える。そして、電子機器１においては、表示制御部２１は、録画したテレビ放送を再生させる再生指示を再生部２３が受け付けた場合、当該テレビ放送に関連付けて記憶した画像データに基づき、見出し語についての意味を表示画面に表示させる。
【０１１２】
ここで、特定された見出し語についての意味の表示については、上述した詳細画面の表示であれば、リスト表示詳細画面における表示であっても、リスト非表示詳細画面における表示であってもよい。
【０１１３】
以上のような構成により、電子機器１においてユーザがテレビ番組を視聴している際に、当該番組で放送された内容に関連する語句の意味を電子機器１の辞書機能を用いて調べた場合、以下の効果を得られる。
【０１１４】
まず、タイムシフト再生を行うため、視聴している番組の内容を漏らさず視聴することができる。また、後日、録画した番組を再生して視聴する場合、録画時にユーザが調べた語句等の意味が自動的に画面に表示されるため、当該視聴中に再度当該語句の意味を辞書機能を用いて調べる必要性がなくなる。このため、ユーザにとって語句等の意味について、容易に再度学習（つまり復習）することが可能となる。
【０１１５】
また、電子機器１は、特定された見出し語と当該見出し語についての意味とが表示された辞書画面をキャプチャする構成であり、表示画面に表示した辞書画面の全ての画面をキャプチャする構成ではない。したがって、全ての辞書画面をキャプチャする構成に比べて、記憶部１６に記憶するデータの容量を少なくすることが可能となる。
【０１１６】
ここで、上述したように、特定された見出し語についての意味の表示には、第１指定部２５によって指定された見出し語の意味を表示画面の少なくとも一部に表示させ場合も含まれる。
【０１１７】
したがって、ユーザが、リスト表示詳細画面において他の見出し語を指定し、当該指定した見出し語についての意味が表示された場合についても、画像データ（第１画像データ）がキャプチャされる。このため、当該他の見出し語と当該見出し語についての意味とについても、録画したテレビ放送を再生する際に表示可能となる。
【０１１８】
また、上述したように、特定された見出し語についての意味の表示には、第２指定部２６によって指定された語句の意味を前記表示画面の少なくとも一部に表示させた場合も含まれる。つまり、ジャンプ機能を用いて、別の語句等の意味を示した場合も含まれる。
【０１１９】
したがって、特定された見出し語の意味が前記表示画面に表示されている場合、表示された内容に含まれる特定の語句のうち一つの語句の意味が表示画面の少なくとも一部に表示された場合についても、画像データ（第１画像データ）がキャプチャされる。このため、表示された内容に含まれる特定の語句の意味についても、録画したテレビ放送を再生する際に、表示可能となる。
【０１２０】
また、電子機器１においては、第１画像データが複数キャプチャされた場合、録画したテレビ放送を再生するとき、キャプチャされた順序で辞書画面が表示画面に表示される構成であるため、ユーザは順を追って語句等の意味を再度確認することができる。
【０１２１】
また、電子機器１においては、第１画像データのみならず第２画像データについてもキャプチャされて、記憶部１６に記憶される構成である。このため、録画したテレビ放送を再生する場合、見出し語についての意味が表示されるだけでなく、プレビュー機能オフの状態でのリスト表示、見出し語の例文表示、および見出し語を解説するため画像表示が可能となる。したがって、見出し語と当該見出し語についての意味とをだけを表示する場合に比べて、ユーザにとって復習の効果が一層増す。
【０１２２】
次に、電子機器１における上述した処理のフローについて説明する。
図１０は、テレビ放送を表示画面に表示した後に、当該テレビ放送を録画の開始をした場合において、辞書画面が表示されたときの処理のフローを示したフローチャートである。
【０１２３】
まず、受信部１４が受信したテレビ放送に基づき、表示制御部２１によって表示部１２の表示画面にテレビ画面が表示される（Ｓ１）。ステップＳ１の後は、入力部１１を介したユーザからの指示により、録画部２２がテレビ放送の録画を開始する（Ｓ２）。ステップＳ２の後は、録画部２２による録画が終了したか否かが制御部１８によって判断される（Ｓ３）。ステップＳ３において録画が終了したと判断された場合には、処理を終了する。一方、ステップＳ３において録画が終了していないと判断された場合には、テレビ画面から辞書画面に切り替えれたか否かが制御部１８により判断される（Ｓ４）。
【０１２４】
ステップＳ４において辞書画面に切り替えられたと判断されなかった場合は、再度、ステップＳ３に戻る。一方、ステップＳ４において辞書画面に切り替えられたと判断された場合には、新たな見出しの語の入力が開始されたか否かが制御部１８により判断される（Ｓ５）。ステップＳ５において新たな見出し語の入力が開始されていないと判断された場合には、ステップＳ１４に進む。一方、ステップＳ５において新たな見出し語の開始がなされたと判断された場合には、見出し語の特定を行う（Ｓ６）。
【０１２５】
ステップＳ６において見出し語の特定が行われた後は、見出し語と当該見出し語についての意味とを表示画面の少なくとも一部に表示させる処理が行われた行われたか否かが、制御部１８により判断される（Ｓ７）。ステップＳ７において上記処理が行われたと判断された場合には、測定部２７によって、上記見出し語と当該見出し語についての意味とを表示画面の少なくとも一部に表示させている時間の測定を開始する（Ｓ８）。一方、ステップＳ７において上記処理が行われなかったと判断された場合には、上述したジャンプ機能が実行されたか否かが制御部１８により判断される（Ｓ９）。
【０１２６】
ステップＳ９においてジャンプ機能が実行されたと判断された場合には、ステップＳ８に進む。一方、ステップＳ９においてジャンプ機能が実行されなかったと判断された場合には、ステップＳ１４に進む。
【０１２７】
ステップＳ８の後は、キャプチャ部２４により、辞書画面を示した上述した画像データ（第１画像データ・第２画像データ）がキャプチャされる（Ｓ１０）。例えば、見出し語と当該見出し語について意味とが表示された場合には、第１画像データとして辞書画面の画像データがキャプチャされるとともに、当該キャプチャされた第１画像データが、テレビ放送の映像データに関連付けて記憶部１６に記憶される。また、例文表示等がなされた場合には、第２画像データとして辞書画面の画像データがキャプチャされるとともに、当該キャプチャされた第２画像データが、テレビ放送の映像データに関連付けて記憶部１６に記憶される。
【０１２８】
ステップＳ１０の後は、見出し語と当該見出し語についての意味との表示、プレビュー機能オフの状態でリスト表示、見出し語の例文表示、および見出し語を解説するため画像表示が終了したか否かが、制御部１８により判断される（Ｓ１１）。ステップＳ１１において終了したと判断された場合には、測定部２７による表示時間の測定を終了する（Ｓ１２）。一方、ステップＳ１１において終了していないと判断された場合には、再度、ステップ１１に戻る。
【０１２９】
ステップＳ１２の後は、上述した表示時間データを、キャプチャ部２４がキャプチャされた第１画像データに関連付けて記憶する（Ｓ１３）。これにより、表示時間データが、録画対象となったテレビ放送（映像データ）に関連付けられる。ステップＳ１３の後は、辞書画面からテレビ画面に切り替えられたか否かが制御部１８により判断される（Ｓ１４）。
【０１３０】
ステップＳ１４においてテレビ画面に切り替わったと判断された場合には、表示制御部２１はテレビ画面を表示させる（Ｓ１５）。一方、ステップＳ１４においてテレビ画面に切り替っていないと判断された場合には、再度、ステップＳ５に戻る。ステップＳ１５の後は、録画部２２による録画が終了したか否かが制御部１８によって判断される（Ｓ１６）。ステップＳ１６において録画が終了したと判断された場合には、処理を終了する。一方、ステップＳ１６において録画が終了していないと判断された場合には、再度、ステップＳ４に戻る。
【０１３１】
図１１は、録画したテレビ放送を再生する際の処理のフローを示したフローチャートである。
【０１３２】
まず、再生部２３によって、録画したテレビ放送の再生が開始される（Ｓ２１）。ステップＳ２１の後は、上記録画したテレビ放送に関連付けて記憶部１６に記憶された表示時間データのうち測定開始時刻が一番早い表示時間データが、制御部１８により一つ読み出される（Ｓ２２）。ステップＳ２２の後は、録画データに基づいて、表示部１２においてテレビ画面が表示される（Ｓ２３）。ステップＳ２３の後は、制御部１８により、読み出した表示時間データを参照し、辞書画面への切り替え時間が到来したか否かが判断される（Ｓ２４）。
【０１３３】
ステップＳ２４において辞書画面への切り替え時間が到来したと判断された場合には、表示制御部２１により、録画データの再生が中断される（Ｓ２５）。一方、ステップＳ２４において辞書が面への切り替え時間が到来していないと判断された場合には、再度、ステップＳ２３に戻る。ステップＳ２５の後は、表示制御部２１により、上記読み出した表示時間データに関連付けれた画像データを用いて、辞書画面が表示される（Ｓ２６）。例えば、見出し語と当該見出し語についての意味とを示した画面が表示される。
【０１３４】
そして、ステップＳ２６の後は、制御部１８により、読み出した表示時間データを参照し、テレビ画面への切り替え時間が到来したか否かが判断される（Ｓ２７）。ステップＳ２７においてテレビ画面への切り替え時間が到来したと判断された場合には、表示制御部２１により辞書画面が非表示となる（Ｓ２８）。一方、ステップＳ２７においてテレビ画面への切り替え時間が到来していないと判断された場合には、再度、ステップＳ２５に戻る。また、ステップＳ２８の後は、再生部２３によって、録画したテレビ放送の再生が再開される（Ｓ２９）。つまり、表示部１２においてテレビ画面が表示される。
【０１３５】
ステップＳ２９の後は、上記読み出した表示時間データ以外に、上記録画したテレビ放送に関連付けて記憶部１６に記憶された表示時間データが他に存在するか否かを、制御部１８が判断する（Ｓ３０）。ステップＳ３０において他に表示時間データが存在すると判断された場合には、制御部１８によって、当該存在する表示時間データのうち測定開始時刻が最も早い表示時間データが記憶部１６から読み出される（Ｓ３１）。そして、ステップＳ３１の後は、再度、ステップＳ２４に戻る。一方、ステップＳ３０において他に表示時間データが存在しないと判断された場合には、処理を終了する。
【０１３６】
また、キャプチャ部２４は、録画したテレビ放送を再生中に、上述したような見出し語と当該見出し語についての意味とを表示するような処理が行われた場合であっても、上述したように画像データ（第１画像データ）をキャプチャするとともに、当該キャプチャした第１画像データを、録画している映像データに関連付けて記憶部１６に記憶する。また、当該再生中に、例文表示等がされた場合であっても、キャプチャ部２４は上述したように画像データ（第１画像データ）をキャプチャするとともに、当該キャプチャした第１画像データを、録画している映像データに関連付けて記憶部１６に記憶する。つまり、キャプチャ部２４は、録画したテレビ放送の再生時においても、録画しているときと同様にキャプチャを行う。
【０１３７】
図１２は、録画したテレビ放送の再生中に、新たに画像データ（第１画像データ・第２画像データ）をキャプチャする際の処理のフローを示したフローチャートである。より詳しくは、図１２は、テレビ画面が表示部１２に表示されている場合に、新たな画像データのキャプチャがなされる処理が行われた場合の処理を示したフローチャートである。つまり、図１２は、再生開始前にキャプチャされた画像データを用いて辞書画面に切り替っている期間以外の期間に、新たな画像データのキャプチャがなされる処理が行われた場合の処理を示したフローチャートである。
【０１３８】
まず、再生部２３によって、録画したテレビ放送の再生が開始される（Ｓ４１）。ステップＳ４１の後は、上記録画したテレビ放送に関連付けて記憶部１６に記憶された表示時間データのうち測定開始時刻が一番早い表示時間データが、制御部１８により一つ読み出される（Ｓ４２）。ステップＳ４２の後は、録画データに基づいて、表示部１２においてテレビ画面が表示される（Ｓ４３）。
【０１３９】
ステップＳ４３の後は、読み出した表示時間データに基づき、表示制御部２１が辞書画面への切り替え時間が到来したか否かを判断する（Ｓ４４）。ステップＳ４４において辞書画面への切り替え時間が到来したと判断された場合には、ステップＳ４５に進む。一方、ステップＳ４４において辞書画面への切り替え時間が到来していないと判断された場合には、ステップＳ５２に進む。
【０１４０】
ここで、図１１のステップＳ４５からステップＳ５１までに示した一連の処理は、図１１のステップＳ２５からステップＳ３１までに示した一連の処理と同じであるため、ここでの説明は省略する。なお、ステップＳ５０において、他の表示時間情報が存在しないと判断されると、ステップＳ６０に進む。
【０１４１】
ステップＳ５２においては、テレビ画面から辞書画面に切り替えられたか否かが制御部１８により判断される。つまり、再生中に、ユーザによる入力部１１を介した辞書画面に切り替える指示に応じて、テレビ画面から辞書画面に切り替えられたか否かが判断される。ステップＳ５２において辞書画面に切り替えられたと判断された場合には、テレビ放送の再生を中断する（Ｓ５３）。一方、ステップＳ５２において辞書画面に切り替えられていないと判断された場合には、ステップＳ４４に戻る。
【０１４２】
ステップＳ５３の後は、表示制御部２１により、辞書画面が表示される（Ｓ５４）。ステップＳ５４の後は、新たな見出しの語の入力が開始されたか否かが制御部１８により判断される（Ｓ５５）。そして、ステップＳ５５において新たな見出し語の入力が開始されたと判断された場合には、ステップＳ５６に進む。一方、ステップＳ５５において新たな見出し語の開始がされていないと判断された場合には、ステップＳ５７に進む。
【０１４３】
ここで、ステップＳ５６では、図１０に示したステップＳ６からステップＳ１３までの処理が行われる。そして、ステップＳ５６の後は、辞書画面からテレビ画面に切り替えられたか否かが制御部１８により判断される（Ｓ５７）。ステップＳ５７においてテレビ画面に切り替えられたと判断された場合には、表示制御部２１により辞書画面が非表示となる（Ｓ５８）。一方、ステップＳ２７においてテレビ画面への切り替え時間が到来していないと判断された場合には、再度、ステップＳ５７に戻る。また、ステップＳ５８の後は、再生部２３によって、録画したテレビ放送の再生が再開される（Ｓ５９）。つまり、表示部１２においてテレビ画面が表示される。そして、ステップＳ５９の後は、再度、ステップＳ４４に戻る。
【０１４４】
次に、ステップＳ６０以降の処理について説明する。ステップＳ６０においては、テレビ画面から辞書画面に切り替えられたか否かが制御部１８により判断される。ここで、ステップＳ６０において辞書画面に切り替えられたと判断された場合には、ステップＳ６１に進む。一方、ステップＳ６０において辞書画面に切り替えられていないと判断された場合には、ステップＳ６８に進む。
【０１４５】
ここで、図１１に示すステップＳ６１からステップＳ６７までの一連の処理は、ステップＳ５３からステップＳ５９までに示した一連の処理と同じであるため、ここでの説明は省略する。なお、ステップＳ６７の後は、処理を終了する。
【０１４６】
また、ステップＳ６８においては、録画したテレビ放送の再生が終了したか否かが制御部１８により判断される。ここで、ステップＳ６８において再生が終了したと判断された場合には、処理を終了する。一方、ステップＳ６８において再生が終了していないと判断された場合には、再度、ステップＳ６０に戻る。
【０１４７】
なお、例えば、ステップＳ５２およびステップＳ６０における辞書画面へ切り替えは、ユーザが入力部１１を構成する所定の操作キー（辞書キー）を押下することにより行う構成とすればよい。また、ステップＳ５７およびステップＳ６５におけるテレビ画面への切り替えは、ユーザが入力部１１を構成する所定の操作キー（戻りキー）を押下することにより行われる構成とすればよい。
【０１４８】
ここで、録画データの再生中において、上記のように新たに画像データがキャプチャされた場合、再度、当該録画したデータを再生するときの動作について説明する。
【０１４９】
この場合には、録画前にキャプチャされていた画像データと、再生時に新たにキャプチャされた画像データとを用いて、録画データの再生がなされる。例えば、新たに第１画像データがキャプチャされて、記憶部１６に当該第１画像データが追加記憶された場合には、再生部２３が再生指示を受け付けると、表示制御部２１は、追加記憶した第１画像データを用いて、見出し語と当該見出し語についての意味とについても表示画面の少なくとも一部に表示させる。
【０１５０】
また、再生時においてキャプチャした画像データを用いて辞書画面を表示する際、当該辞書画面を表示する順序は、再生するテレビ放送において、各キャプチャされた画像データに関連付けられた上記関連付け画像データが表示される順序に従う。具体例を挙げて説明すると、以下の通りである。
【０１５１】
例えば、辞書画面を示す画像データ（１）と辞書画面を示す画像データ（２）とが録画前にキャプチャされており、再生時に新たに辞書画面を示す画像データ（３）がキャプチャされたとする。また、画像データ（３）の関連付け画像データが、録画したテレビ放送における画像において、時間的に画像データ（１）の関連付け画像データと画像データ（２）の関連付け画像データとの間の画像データであったとする。このような場合、画像データ（１）に基づく辞書画面の表示を行った後、画像データ（３）に基づく辞書画面の表示処理を、画像データ（２）に基づく辞書画面の表示処理よりも先に行う。
【０１５２】
このような構成とすることにより、新たに画像データをキャプチャした後にテレビ放送を再生する場合であっても、ユーザが例えば見出し語の意味を調べたのと同じようなタイミングで、キャプチャした画像データを用いて、見出し語と当該見出し語の意味等の表示が可能となる。
【０１５３】
ただし、必ずしもこのような構成に限定されるものではなく、画像データ（１）による辞書画面の表示を行った後、画像データ（２）による辞書画面の表示処理を行い、その後で、画像データに基づく辞書画面の表示処理を行う構成としてもよい。
【０１５４】
ところで、上記においては、再生開始前にキャプチャされた画像データを用いて辞書画面に切り替っている期間以外の期間に、新たな画像データのキャプチャがなされる処理が行われた場合について説明した。しかし、このような処理に限定されるものではない。
【０１５５】
例えば、再生開始前にキャプチャされた画像データを用いて辞書画面に切り替っている期間に、新たに辞書操作を受け付ける構成としてもよい。つまり、辞書画面に切り替っている期間は辞書が起動しているため、他の見出し語についての意味の検索等といった割り込み処理を受け付ける構成としてもよい。
【０１５６】
さらに、テレビ放送の録画中において、見出し語についての意味が表示されていない場合であっても、見出し語が表示されているとき、ユーザが当該表示画面を再生時に確認したいと考える場合もある。そこで、電子機器１の構成を、以下のようにしてもよい。
【０１５７】
まず、キャプチャ部２４が、第３指示を受け付けた場合、当該第３指示を受け付けた際に表示された電子辞書の画面の画像データをキャプチャするとともに、当該キャプチャした画像データを上記録画している映像データに関連付けて記憶部１６に記憶し、表示制御部２１は、再生指示を受け付けた場合、上記第３指示を受け付けた際にキャプチャした画像データについても表示画面に表示させる構成とすればよい。なお、第３指示とは、入力部１１を構成する特定の操作キー（例えば、取込キー）をユーザが押下することによって、電子機器１に入力される指示である。なお、当該操作キーは、ソフトキーであってもよい。
【０１５８】
上記の場合に加えて、辞書画面からテレビ画面に切り替えた場合に、切り替え直前に表示画面に表示されていた見出し語についても再生時に表示される構成としてもよい。この場合には、まず、キャプチャ部２４の構成を、電子辞書の画面が映像データの代わりに表示画面に表示されている場合に、映像データを表示画面に再度表示させる第４指示を表示制御部２１が受け付けたときには、第４指示を受け付けた際に表示された電子辞書の画面の画像データをキャプチャするとともに、当該キャプチャした画像データを上記録画している映像データに関連付けて記憶部１６に記憶する構成とする。そして、表示制御部２１の構成を、再生指示を受け付けた場合、第４指示を受け付けた際にキャプチャした画像データについても前記表示画面に表示させる構成とすればよい。なお、第４指示とは、入力部１１を構成する特定の操作キー（例えば、表示画面切替キー）をユーザが押下することによって、電子機器１に入力される指示である。なお、当該操作キーは、ソフトキーであってもよい。
【０１５９】
また、上述した、取込みキーや表示画面切替キーといった特定の操作キーは、当該処理専用のキーではなく、他の処理を実行するキーと兼用のキーとしてもよい。
【０１６０】
ところでなお、上記においては、録画データの再生中に辞書画面が表示される順序は、上記表示時間データにおける測定開始時刻のデータに基づいて定められている構成を例に挙げて説明した。つまり、表示制御部２１が、再生指示を受け付けた場合、上記第１指示を受け付けた直前に表示された映像データを再生した直後に、見出し語についての意味を表示画面に表示させる構成を例に挙げた。しかしながら、これに限定されるものではない。
【０１６１】
例えば、表示制御部２１が、再生指示を受け付けた場合、テレビ放送の再生の前に、見出し語についての意味を表示画面に表示させる構成としてもよい。あるいは表示制御部２１が、再生指示を受け付けた場合、テレビ放送の再生が終了した後に、見出し語についての意味を表示画面に表示させる構成としてもよい。以下、このような構成について説明する。
【０１６２】
図１３は、テレビ放送の再生の前に見出し語についての意味を表示画面に表示させる場合における、表示画面に示される内容を時系列に沿って示した図である。具体的には、図８に示したように時系列に沿って録画されたテレビ放送および辞書画面を再生する際に、表示画面に表示される内容を示した図である。さらには、上述したように、２つの上記第１画像データが異なる映像データに関連付けられる例に対応する図でもある。
【０１６３】
まず、再生指示を再生部２３が受け付けると、表示制御部２１は、表示画面を辞書画面とする（辞書映像Ａ）。その後、辞書画面に切り替って所定の時間が経過すると、表示制御部２１によって表示画面が他の辞書画面に切り替えられる（辞書映像Ｂ）。なお、辞書画面の間については、再生部２３は、テレビ放送の再生を停止している。
【０１６４】
その後、当該辞書画面に切り替ってから所定の時間が経過すると、表示制御部２１は、表示画面を辞書画面からテレビ画面に切り替る。この場合、再生部２３によって再生が開始される（テレビ映像Ａ）。この後は、順次、テレビ映像Ｂ、テレビ映像Ｃの順にテレビ放送が再生される。
【０１６５】
図１４は、テレビ放送の再生の後に見出し語についての意味を表示画面に表示させる場合における、表示画面に示される内容を時系列に沿って示した図である。具体的には、図８に示したように時系列に沿って録画されたテレビ放送および辞書画面を再生する際に、表示画面に表示される内容を示した図である。さらには、上述したように、２つの上記第１画像データが異なる映像データに関連付けられる例に対応する図でもある。
【０１６６】
まず、再生指示を再生部２３が受け付けると、再生部２３によって再生が開始され、表示画面に録画していたテレビ放送が表示される（テレビ映像Ａ）。この後は、順次、テレビ映像Ｂ、テレビ映像Ｃの順にテレビ放送が再生させる。
【０１６７】
そして、テレビ放送の再生が完了すると、表示制御部２１は、表示画面を辞書画面に切り替える（辞書映像Ａ）。その後、辞書画面に切り替って所定の時間が経過すると、表示制御部２１によって表示画面が他の辞書画面に切り替えられる（辞書映像Ｂ）。
【０１６８】
以上のような構成とすることにより、再生途中に見出し語についての意味が表示される場合と異なる学習効果が得られる。また、見出し語の意味を表示可能であるとともに、テレビ放送を途切れることなく再生することができる。さらに、テレビ放送の再生前に見出し語についての意味を表示させる場合には、ユーザは当該意味を事前に確認できる。また、テレビ放送の再生が終了した後に見出し語についての意味を表示させる場合には、ユーザは当該意味を事後的に確認できる。
【０１６９】
ところで、上記においては、辞書画面を示す画像データがキャプチャされるのは、見出し語と当該見出し語についての意味とが表示された場合、および例文表示等がなされた場合であったが、必ずしも、このような場合に限定されるものではない。例えば、辞書画面（例えば、上記詳細画面）のスクロール（行単位、複数行単位、ページ単位）が行われた場合に、画像データがキャプチャされる構成としてもよい。
【０１７０】
つまり、どうような辞書画面が表示された場合に画像データをキャプチャするかについては電子機器１において予め定めておき、所定の辞書画面が表示された場合や所定の辞書画面を表示させるための指示を受付けた場合のように所定の辞書画面を表示させるための処理が行われた場合に、画像データをキャプチャする構成とすればよい。
【０１７１】
つまり、電子機器１は、受信したテレビ放送を表示画面に表示させた状態で当該テレビ放送を録画部２２によって録画している場合に、第１指示を受け付けたとき、電子辞書の画面を表示画面に表示させる表示制御部２１と、上記電子辞書の画面のうち所定の画面を前記表示画面の少なくとも一部に表示させる処理が上記録画中に行われた場合、当該表示された画面の画像データをキャプチャするとともに、当該キャプチャした画像データを上記録画している映像データに関連付けて記憶部１６に記憶するキャプチャ部２４とを備え、表示制御部２１は、録画したテレビ放送を再生させる再生指示を再生部２３が受け付けた場合、当該テレビ放送に関連付けて記憶した画像データに基づき、上記所定の画面を表示画面に表示させる構成といえる。
【０１７２】
このような構成によって、電子機器１では、再生時において、録画時に表示した所定の辞書画面を呼び出すためのユーザの入力作業が不要となる。
【０１７３】
また、上記においては、録画の開始と終了とを、その都度入力部１１を介してユーザが入力する構成を例に挙げて説明したが、これに限定されるものではない。予め、入力部１１を介して録画予約を受け付ける構成とし、録画開始時刻になると録画を開始するとともに録画終了時刻になると録画を終了する構成としてもよい。
【０１７４】
なお、上記においては、表示時間データにおける表示時間に示された時間だけ各辞書画面を表示したが、これに限定されるものではない。例えば、再生回数に応じて、表示する時間を短くする構成としてもよい。
【０１７５】
また、上記においては、再生時において自動的にテレビ画面に移行する構成を例に挙げて説明したが、これに限定されるものではない。例えば、入力部１１を介したユーザからの入力があった場合にのみ、テレビ画面に移行する構成としてもよい。
【０１７６】
また、上記においては、再生中に上記第１画像データ等をキャプチャする構成を、図１２に基づき説明した。そして、当該説明においては、録画したテレビ放送の再生前に既に第１画像データ等が既にキャプチャされていることを前提に説明した。しかしならが、これに限定されるものではなく、録画したテレビ放送の再生前に未だ第１画像データ等がキャプチャされいない場合において、再生時に辞書画面を示す画像データをがキャプチャする構成としてもよい。
【０１７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１７８】
【図１】本実施の形態に係る電子機器の概略構成を示した機能ブロック図である。
【図２】プレビューモードにおいて、検索用画面を介して入力を行っている状態を示した図である。
【図３】リスト内における他の見出し語を指定した場合における表示画面の状態を示した図である。
【図４】リスト非表示詳細画面の一例を示した図である。
【図５】ジャンプ機能を実行した後の表示画面を示した図である。
【図６】上記電子機器として機能するコンピュータシステムのハードウェア構成を表わすブロック図である。
【図７】受信したテレビ放送を表示画面に表示するとともに当該テレビ放送を録画している際に、ユーザが辞書機能を用いて語句の意味を調べた場合の表示画面の遷移を示した図である。
【図８】テレビ放送の録画時に辞書画面を表示させた場合における、表示画面に示される内容を時系列に沿って示した図である。
【図９】録画したテレビ放送の再生時における、表示画面に示される内容を時系列に沿って示した図である。
【図１０】テレビ放送を表示画面に表示した後に、当該テレビ放送を録画の開始をした場合において、辞書画面が表示されたときの処理のフローを示したフローチャートである。
【図１１】録画したテレビ放送を再生する際の処理のフローを示したフローチャートである。
【図１２】録画したテレビ放送の再生中に、新たに画像データをキャプチャする際の処理のフローを示したフローチャートである。
【図１３】テレビ放送の再生の前に見出し語についての意味を表示画面に表示させる場合における、表示画面に示される内容を時系列に沿って示した図である。
【図１４】テレビ放送の再生の後に見出し語についての意味を表示画面に表示させる場合における、表示画面に示される内容を時系列に沿って示した図である。
【符号の説明】
【０１７９】
１１  入力部、１２  表示部、１３  音声出力部、１４  受信部、１６  記憶部、１７  辞書データベース、１８  制御部、２１  表示制御部、２２  録画部、２３  再生部、２４  キャプチャー部、２５  第１指定部、２６  第２指定部、２７  測定部。
【図１】
2010041198.tif 000003
【図２】
2010041198.tif 000004
【図３】
2010041198.tif 000005
【図４】
2010041198.tif 000006
【図５】
2010041198.tif 000007
【図６】
2010041198.tif 000008
【図７】
2010041198.tif 000009
【図８】
2010041198.tif 000010
【図９】
2010041198.tif 000011
【図１０】
2010041198.tif 000012
【図１１】
2010041198.tif 000013
【図１２】
2010041198.tif 000014
【図１３】
2010041198.tif 000015
【図１４】
2010041198.tif 000016